(57)【特許請求の範囲】
【請求項１】
近接して並列に配置された二本の電線を挟み込む一対の挟持部であって、開閉可能に構成された一対の挟持部と、該一対の挟持部にそれぞれ連設された一対の摘持部であって、前記一対の挟持部を開閉操作する一対の摘持部と、前記一対の挟持部を互いに閉じる方向に付勢する付勢部であって、前記二本の電線を挟み込んだ状態に維持させる付勢部とを備え、いずれか一方の挟持部は、他方の挟持部に対向する箇所に、他方の挟持部とは反対側に向かって形成された第一掛止部であって、二本のうちのいずれか一方の電線に掛止可能な第一掛止部と、該第一掛止部の両端から延出して形成された一対の第一ガイド部であって、前記いずれか一方の電線を第一掛止部に誘導する一対の第一ガイド部とを有し、一対のうちの一方の第一ガイド部は前記一対の挟持部の開閉支点に繋がり、他方の第一ガイド部は他方の挟持部側に向かって延び、前記他方の挟持部は、前記一対の挟持部の開閉支点側に形成された第二掛止部を有し、前記いずれか一方の挟持部は、前記他方の第一ガイド部の端部から延出して形成された第二ガイド部であって、前記一対の挟持部が開いた状態で、且つ前記第二掛止部が前記一方の電線に掛止した状態では、前記他方の電線に当接する第二ガイド部を有し、前記他方の挟持部は、前記第二掛止部の端部から延出して形成される第三ガイド部であって、前記二本の電線を前記第一掛止部に誘導する第三ガイド部を有することを特徴とする電線固定具。
【発明の詳細な説明】
【技術分野】
【０００１】
本発明は、接続箇所で近接して並列に配置された二本の電線を相互に固定する電線固定具に関する。
【背景技術】
【０００２】
従来より、配電線を径間途中で分岐する接続箇所において、近接して並列に配置された二本の電線を相互に固定するために、バインド線が使用される。該バインド線は、塑性変形可能で、二本の電線に沿って巻き付けられる。
【０００３】
具体的には、まず、図７（ａ）に示す如く、バインド線１００の両端部が垂れ下がるように、バインド線１００の中央部を折り曲げて逆Ｕ字形状に形成する。つぎに、二本の電線Ｃ，Ｃのうちの一方の電線Ｃの外周面に、折り曲げられたバインド線１００の凹部を当接させる。この状態で、一方の作業者が間接活線工具（絶縁ヤットコ）で垂れ下がったバインド線１００の一端部を把持した上で、他方の作業者がバインド打ち器を使用して、図７（ｂ）に示す如く、バインド線１００を一端から他端に向かって順次螺旋状に巻き付けていく（特許文献１参照）。
【先行技術文献】
【特許文献】
【０００４】
【特許文献１】実開平４−５５７１３号公報
【発明の概要】
【発明が解決しようとする課題】
【０００５】
ところで、前記バインド線１００を電線Ｃに対して螺旋状に巻回する場合、垂れ下がったバインド線１００の一端部を把持する一方の作業者と、バインド打ち器を使用してバインド線１００を巻き付けていく他方の作業者とが必要になる。また、バインド線１００を一端から他端に向かって順次螺旋状に巻き付けていくため、労力と時間を要する。したがって、バインド線１００によって二本の電線を固定するには作業性が悪い、という問題がある。
【０００６】
そこで、本発明は、上記問題に鑑み、近接して並列に配置された二本の電線を効率よく固定できる電線固定具を提供することを目的とする。
【課題を解決するための手段】
【０００７】
本発明に係る電線固定具は、近接して並列に配置された二本の電線を挟み込む一対の挟持部であって、開閉可能に構成された一対の挟持部と、該一対の挟持部にそれぞれ連設された一対の摘持部であって、前記一対の挟持部を開閉操作する一対の摘持部と、前記一対の挟持部を互いに閉じる方向に付勢する付勢部であって、前記二本の電線を挟み込んだ状態に維持させる付勢部とを備え、いずれか一方の挟持部は、他方の挟持部に対向する箇所に、他方の挟持部とは反対側に向かって形成された第一掛止部であって、二本のうちのいずれか一方の電線に掛止可能な第一掛止部と、該第一掛止部の両端から延出して形成された一対の第一ガイド部であって、前記いずれか一方の電線を第一掛止部に誘導する一対の第一ガイド部とを有し、一対のうちの一方の第一ガイド部は前記一対の挟持部の開閉支点に繋がり、他方の第一ガイド部は他方の挟持部側に向かって延び、前記他方の挟持部は、前記一対の挟持部の開閉支点側に形成された第二掛止部を有し、前記いずれか一方の挟持部は、前記他方の第一ガイド部の端部から延出して形成された第二ガイド部であって、前記一対の挟持部が開いた状態で、且つ前記第二掛止部が前記一方の電線に掛止した状態では、前記他方の電線に当接する第二ガイド部を有し、前記他方の挟持部は、前記第二掛止部の端部から延出して形成される第三ガイド部であって、前記二本の電線を前記第一掛止部に誘導する第三ガイド部を有することを特徴とする。
【０００８】
かかる構成によれば、一対の摘持部を挟んで、一対の挟持部を付勢部の付勢力に抗して開いて、開いた一対の挟持部の間に前記二本の電線を介在させる。この状態で、一対の挟持部に対する開操作を解除すると、付勢部の付勢力によって一対の挟持部が互いに閉方向に付勢される。これにより、一方の挟持部が前記二本の電線を挟み込むことになり、前記二本の電線に電線固定具が仮固定される。
【０００９】
つぎに、仮固定された状態の電線固定具の一対の挟持部を回動させると、他方の挟持部に他方の電線が当たって、前記二本の電線が第一掛止部側に向かって押される。具体的には、一対の挟持部の開閉支点に繋がる一方の第一ガイド部と、他方の挟持部側に向かって延びる他方の第一ガイド部とで、並んだ二本の電線が第一掛止部に誘導されつつ、一方の電線が第一掛止部に到達する。
【００１０】
このとき、一対の挟持部は閉状態となる。この閉状態で、一方の挟持部の第一掛止部と、他方の挟持部とが向き合って前記二本の電線が並んだ方向から挟持される。これにより、前記二本の電線に対して電線固定具を本固定することができる。
【００１１】
したがって、閉じた状態の一対の挟持部を開くステップ、開いた状態の一対の挟持部を前記二本の電線に仮固定させるステップ、仮固定された一対の挟持部を回動させるステップを順次ふむだけで、前記二本の電線を効率よく一人で固定することができる。
さらに、かかる構成によれば、第二ガイド部は、一対の挟持部が開いた状態で、且つ第二掛止部が一方の電線に掛止した状態では、他方の電線に当接するため、第二ガイド部を他方の電線に当接しつつ一対の挟持部を回動させることがきる。これにより、第一ガイド部によって一方の電線を誘導しつつ、第一掛止部に一方の電線を容易に掛止させることがきる。また、第三ガイド部は、第二ガイド部を他方の電線に当接しつつ一対の挟持部を回動させる過程において、付勢部の付勢力によって二本の電線を第一掛止部側に押して誘導することになる。
【００１３】
また、第二掛止部は、一対の挟持部の開閉支点側に形成されているため、一対の挟持部が開いた状態で二本のうちの一方の電線に掛止することができる。これにより、前記二本の電線に対して電線固定具を仮固定することができる。また、第二掛止部は、第一掛止部が一方の電線に掛止した状態では、他方の電線に掛止する。これにより、前記二本の電線を、第一掛止部と第二掛止部とで挟み込んで固定することができる。
【発明の効果】
【００１６】
以上のように、本発明によれば、近接して並列に配置された二本の電線を効率よく固定することができる。
【図面の簡単な説明】
【００１７】
【図１】図１は、本発明の一実施形態に係る電線固定具を、配電線を径間途中で分岐する構造に適用した状態を示した図である。
【図２】図２は、同実施形態に係る電線固定具を示した斜視図である。
【図３】図３は、同実施形態に係る電線固定具を、近接して並列に配置された二本の電線に仮固定した状態を示す図である。
【図４】図４は、同実施形態に係る電線固定具を仮固定した状態から本固定する位置へ移動させる状態を示す図である。
【図５】図５は、同実施形態に係る電線固定具を、近接して並列に配置された二本の電線に本固定した状態を示す図である。
【図６】図６は、同実施形態に係る電線固定具を、異なる径の二本の電線に実装した状態を示す図である。
【図７】図７（ａ）は、塑性変形可能なバインド線を逆Ｕ字形状に折り曲げた図、図７（ｂ）は、近接して並列に配置された二本の電線にバインド線を巻き付けて固定した状態を示す図である。
【発明を実施するための形態】
【００１８】
本発明の一実施形態に係る電線固定具について図面を参照しながら説明する。なお、本実施形態においては、配電線を径間途中で分岐する構造に適用される電線固定具について説明する。
【００１９】
まず、本実施形態を説明するに先立って、前記分岐構造について説明する。該分岐構造は、図１に示す如く、電柱間に架設された電線Ｃ１と、該電線Ｃ１から分岐された電線Ｃ２であって、ピン碍子Ｂ及び引留クランプＫによって引き留められた電線Ｃ２とを有する。
【００２０】
つぎに、本実施形態に係る電線固定具について説明する。該電線固定具は、図２〜図５に示す如く、近接して並列に配置された二本の電線Ｃ１，Ｃ２を挟み込む一対の挟持部２，３であって、開閉可能に構成された一対の挟持部２，３と、該一対の挟持部２，３にそれぞれ連設された一対の摘持部４，４であって、一対の挟持部２，３を開閉操作する一対の摘持部４，４と、一対の挟持部２，３を互いに閉じる方向に付勢する付勢部５であって、二本の電線Ｃ１，Ｃ２を挟み込んだ状態に維持させる付勢部５とを備え、いずれか一方の挟持部２は、他方の挟持部３に対向する箇所に、他方の挟持部３とは反対側に向かって形成された第一掛止部２０であって、いずれか一方の電線Ｃ１に掛止可能な凹状の第一掛止部２０と、該第一掛止部２０の両端から延出して形成された一対の第一ガイド部２１，２１であって、前記いずれか一方の電線Ｃ１を第一掛止部２０に誘導する一対の第一ガイド部２１，２１とを有する。
【００２１】
第一掛止部２０は、本実施形態において、一方の電線Ｃ１に掛止可能に形成される。具体的には、一方の電線Ｃ１の半周面に掛止する半円状の内面を有する。
【００２２】
一対のうちの一方の第一ガイド部２１は、一対の挟持部２，３の開閉支点に繋がり、他方の第一ガイド部２１は、他方の挟持部３側に向かって延びる。したがって、第一掛止部２０は、一対の第一ガイド部２１，２１によって、他方の挟持部２に対向する対向面に対して、他方の挟持部２とは反対側に向かって凹状（逆Ｕ字形状）に形成される。これにより、第一掛止部２０は、第二掛止部３０よりも奥まった位置に形成される。
【００２３】
また、一方の挟持部２は、他方の第一ガイド部２１の端部から延出して形成された第二ガイド部２２であって、一対の挟持部２，３が開いた状態で、且つ第二掛止部３０が一方の電線Ｃ１に掛止した状態では、他方の電線Ｃ２に当接する第二ガイド部２２を有する。
【００２４】
他方の挟持部３は、一対の挟持部２，３の開閉支点側に形成された第二掛止部３０を有する。具体的には、第二掛止部３０は、他方の電線Ｃ２の外周面に当接する１／４の円弧状の内面を有する。
【００２５】
また、他方の挟持部３は、第二掛止部３０の端部から延出して形成された第三ガイド部３１であって、前記二本の電線Ｃ１，Ｃ２を第一掛止部２０に誘導する第三ガイド部３１を有する。
【００２６】
また、電線固定具１は、本実施形態において、一対の挟持部２，３と、一対の摘持部４，４と、付勢部５とが一本の線材によって連続して形成されているものとする。
【００２７】
具体的には、一本の線材の中央部をｘ軸方向に沿ってコイル状に巻回して付勢部５を形成する。該付勢部５の一端から円弧状に折り曲げられて第二掛止部３０が形成された後、付勢部５の軸心方向（ｘ軸方向）に対して直交する方向（ｙ軸方向）に延出されて第三ガイド部３１が環状に形成され、その反対側に延出されて一方の摘持部４が環状に形成される。
【００２８】
また、付勢部５の他端から、付勢部５の軸心方向（ｘ軸方向）に対して直交する方向（ｚ軸方向）に延出され、逆Ｕ字形状（半円形状）に折り曲げられて第一掛止部２０が形成される。さらに、該第一掛止部２０の両端部から平行して延出される一対の第一ガイド部２１，２１が形成される。
【００２９】
さらに、他方の第一ガイド部２１の端部から軸心方向に対して傾斜して延出されるとともに、環状に折り曲げられて第二ガイド部２２が形成される。
【００３０】
その後、前記と同様に、第一掛止部２０と、該第一掛止部２０の両端部から平行して延出される第一ガイド部２１，２１とが形成され、第二ガイド部２２とは反対側の位置に他方の摘持部４が環状に形成される。
【００３１】
つぎに本実施形態に係る電線固定具の使用態様について説明する。ここで、近接して並列に配置された二本の電線Ｃ１，Ｃ２は、一方の電線Ｃ１の中心と、他方の電線Ｃ２の中心とを結ぶ直線が鉛直線と一致する位置に配置されているものとする。
【００３２】
まず、一対の挟持部２，３の摘持部４，４を間接活線工具Ａの把持部Ａ１で把持し、一対の挟持部２，３を付勢部５の付勢方向に抗して開いた状態にする。
【００３３】
そして、図３に示す如く、開いた状態の一対の挟持部２，３間に二本の電線Ｃ１，Ｃ２を介在させる。この状態で、第二掛止部３０を一方の電線Ｃ１に掛止させるとともに、一対の挟持部２，３の開操作を解除すると、付勢部５の付勢力によって一対の挟持部２，３が互いに閉方向に付勢され、一方の電線Ｃ１に第二掛止部３０が掛止するとともに、他方の電線Ｃ２に第一掛止部２０の第二ガイド部２２が当接する。これにより、開いた状態の一対の挟持部２，３が二本の電線Ｃ１，Ｃ２に仮固定される。
【００３４】
つぎに、図４に示す如く、一対の挟持部２，３の摘持部４，４を間接活線工具Ａの把持部Ａ１で把持した状態で、第一掛止部２０が一方の電線Ｃ１の半周面に掛止するように、電線固定具１を間接活線工具Ａで回動する。このとき、第一掛止部２０の一方の第一ガイド部２１が一方の電線Ｃ１に対して接線方向に位置し、第一掛止部２０の他方の第一ガイド部２１が一方の電線Ｃ１に当接するとともに、第一掛止部２０の第二ガイド部２２が他方の電線Ｃ２に当接しつつ回動する。
【００３５】
電線固定具１を回動させる過程においては、他方の挟持部３が付勢部５によって閉方向に付勢されるため、他方の挟持部３に他方の電線Ｃ２が当たって閉方向側に押される。これにより、並んだ電線Ｃ１，Ｃ２が一方の挟持部２の第一掛止部２０に誘導されつつ一方の電線Ｃ１が第一掛止部２０に到達する。
【００３６】
このとき、図５に示す如く、一対の挟持部２，３は閉状態となる。この閉状態で、一方の挟持部２の第一掛止部２０と、他方の挟持部３とが向き合って前記二本の電線Ｃ１，Ｃ２が並んだ方向から挟持される。これにより、前記二本の電線Ｃ１，Ｃ２に対して電線固定具１が本固定される。
【００３７】
具体的には、他方の電線Ｃ２の外周面（１／４の円弧面）に、第二掛止部３０が掛止するとともに、一方の電線Ｃ１の半周面に第一掛止部２０が掛止する。このとき、一方の電線Ｃ１の外周面に対して、第一掛止部２０の一方の第一ガイド部２１が接線方向に当接するとともに、二本の電線Ｃ１，Ｃ２の外周面に対して、他方のガイド部２１が接線方向に当接する。これにより、近接して並列に配置された二本の電線Ｃ１，Ｃ２の周囲が、該二本の電線Ｃ１，Ｃ２が並んだ方向から第一掛止部２０、第二掛止部３０、及び一対の第一ガイド部２１，２１によって挟み込まれて本固定される。
【００３８】
このように、本実施形態に係る電線固定具によれば、閉じた状態の一対の挟持部を開くステップ、開いた状態の一対の挟持部を二本の電線に仮固定させるステップ、仮固定された一対の挟持部を回動させるステップを順次ふむだけで、前記二本の電線を効率よく一人で固定することができる。
【００３９】
なお、本発明は、前記実施形態に限定されるものではなく、本発明の要旨を逸脱しない範囲で種々変更を加え得ることは勿論のことである。
【００４０】
例えば、前記実施形態の場合、一方の挟持部２に、一つの電線に掛止可能な第一掛止部２０を形成するようにしたが、径の異なる電線に掛止可能な第一掛止部を複数形成するようにしてもよい。
【００４１】
前記実施形態の場合、一本の線材で、一対の挟持部２，３、摘持部４，４及び付勢部５を連続して形成するようにしたが、一対の挟持部２，３、摘持部４，４及び付勢部５をそれぞれ個別に形成して組み立てるようにしてもよい。
【００４２】
また、前記実施形態の場合、径間途中で分岐する場合を例にとって説明したが、ポリマースペーサによる途中の分岐部にも適用することができ、ラインスペーサによる径間途中の分岐部にも適用することができる。
【００４３】
また、前記実施形態の場合、同一径の電線Ｃ１，Ｃ２を固定する場合を例にとって説明したが、図６に示す如く、異なる径の二本の電線Ｃ１，Ｃ２を固定する場合も適用できる。この場合、二本の電線Ｃ１，Ｃ２のそれぞれの中心を結ぶ直線は、鉛直線に対して付勢部５側にずれる。
【００４４】
また、前記実施形態の場合、一対の挟持部２，３を線材で形成するようにしたが、平板状の部材、又は櫛歯状の部材で形成するようにしてもよい。この場合、平板状の部材であれば、電線に対して面接触する掛止部を有し、櫛歯状の部材であれば、電線に対して複数の線状の掛止部を有することになる。
【００４５】
また、前記実施形態の場合、他方の電線Ｃ２の半周面に第二掛止部３０が掛止するようにしたが、径の異なる電線に掛止できるように、複数形成するようにしてもよい。
【符号の説明】
【００４６】
１…電線固定具、２，３…挟持部、４…摘持部、５…付勢部、２０…第一掛止部、２１…第一ガイド部、２２…第二ガイド部、３０…第二掛止部、３１…第三ガイド部、Ａ…間接活線工具、Ａ１…把持部、Ｃ１，Ｃ２…電線
【図１】
0006516145.tif 000002
【図２】
0006516145.tif 000003
【図３】
0006516145.tif 000004
【図４】
0006516145.tif 000005
【図５】
0006516145.tif 000006
【図６】
0006516145.tif 000007
【図７】
0006516145.tif 000008